(57)【要約】      （修正有）【課題】うろこ落し具及びうろこ落し具用カバーに関し、特に魚のうろこ落しをする際にうろこが周囲に飛び散らないようにすると共に、うろこ落し具用カバーのエッジが魚のうろこを飛散させないようにしたうろこ落し具及びうろこ落し具用カバーを提供する。【解決手段】うろこ落し具本体１の下部には、相互に間隙を以って一体的に形成されたうろこ落し刃１１がありうろこ落し具基部１２が把手３に固定され、うろこ落し具本体を上側より全体的に覆う形状のカバーが設けられ、カバー基部２３が把手に固定され又は着脱自在に設けられていることを特徴とし、うろこ落し具本体及び相互に間隙を以って一体的に形成されたうろこ落し刃は、金属又は硬質プラスティックからなり、カバーは透明プラスティック又は銅又はアルミニューム等の材質からなり、エッジ部が内側に捲れた構造であることを特徴とする。【選択図】図２
0003160160.tif 000002
【実用新案登録請求の範囲】
【請求項１】
うろこ落し具本体の下部には、相互に間隙を以って一体的に形成されたうろこ落し刃があり、うろこ落し具基部が把手に固定され、うろこ落し具本体を上側より全体的に覆う形状のカバーが設けられ、カバー基部が把手に固定され又は着脱自在に設けられていることを特徴とするうろこ落し具及びうろこ落し具用カバー。
【請求項２】
うろこ落し具本体及び相互に間隙を以って一体的に形成されたうろこ落し刃は、金属又は硬質プラスティックからなり、カバーは透明プラスティック又は銅又はアルミニューム等の材質からなり、エッジ部が内側に捲れた構造であることを特徴とするうろこ落し具及びうろこ落し具用カバー。
【請求項３】
うろこ落し刃の先端部はカバーのエッジから約２〜４ｍｍ突出しており、うろこ落し刃の側面部とカバーエッジ内側とは５〜１０ｍｍの間隙を有することを特徴とするうろこ落し具及びうろこ落し具用カバー。
【考案の詳細な説明】
【技術分野】
【０００１】  本考案はうろこ落し具及びうろこ落し具用カバーに関し、特に魚類のうろこ落しをする際にうろこが周囲に飛び散らないようにすると共に、うろこ落し具用カバーのエッジが魚の鱗を飛散させないようにしたうろこ落し具及びうろこ落し具用カバーに関する。
【背景技術】
【０００２】  従来、タイ、イサキ、コイ、サケ、スズキ等のうろこのある魚のうろこ落しを一般家庭やスーパーストア等の調理場で使用できる魚のうろこ落し具が種々考案されている。
例えば、特開平８−１８２４６２号「魚のうろこ取り器」や実開平２−７８０８６号「魚のうろこ取り器具」等がある。
【先行技術文献】
【０００３】
【特許文献１】  特開平８−１８２４６２号公報
【特許文献２】  実開平２−７８０８６号公報
【考案の概要】
【考案が解決しようとする課題】
【０００４】  前記の特開平８−１８２４６２号「魚のうろこ取り器」は、電気モータ又はエアモータ等の動力を用いてうろこ剥取具を回転させるものであって、不用意に魚の身や皮を傷つけてしまうことがあり、装置も大がかりになって付属する部品の数も多く故障し易いものであった。【０００５】  また、前記せる実開平２−７８０８６号「魚のうろこ取り器具」は、うろこの飛散防止のために吸引手段を設けるものであって、この場合も吸引装置が大がかりになって付属する部品の数も多く、うろこを吸引するときに吸引孔がつまって故障し易いものであった。【０００６】  前記せる引用例では、電気モータ又はエアモータ等の動力を用いてうろこ剥取具を回転させ、又は吸引手段を設けるものであって、装置が大型化して装置の取り回しにも手間が掛かり作業性も悪いものであった。
【課題を解決するための手段】
【０００７】  本考案は前記せるような従来の問題点を解消して創案されたものであり、一般家庭やスーパー等の調理場において、簡単な構造で容易に魚のうろこ落しができるものであり、うろこ落し具本体の下部には、相互に間隙を以って一体的に形成されたうろこ落し刃がありうろこ落し具基部が把手に固定され、うろこ落し具本体を上側より全体的に覆う形状のカバーが設けられ、カバー基部が把手に固定され又は着脱自在に設けられていることを特徴とし、うろこ落し具本体及び相互に間隙を以って一体的に形成されたうろこ落し刃は、金属又は硬質プラスティックからなり、カバーは透明プラスティック又は銅又はアルミニューム等の材質からなり、エッジ部が内側に捲れた構造であることを特徴とし、うろこ落し刃の先端部はカバーのエッジから約２〜４ｍｍ突出しており、うろこ落し刃の側面部とカバーエッジ内側とは５〜１０ｍｍの間隙を有することを特徴とするうろこ落し具及びうろこ落し具用カバーを提供する。【０００８】  図２に示すように、魚５に軽く圧着して、魚の腹部より頭方向にずらしていけば、うろこ４を容易に剥がすことができる。【０００９】  うろこ落し刃の先端部がうろこ落し具用カバーのエッジから約５ｍｍ以上突出していると突出が大きくなるにつれ、うろこ落し具用カバーの飛散防止効果が減少していく。
うろこ落し刃の先端部の突出がカバーのエッジから約２〜４ｍｍ以内であると、うろこ落し具用カバーの内側でうろこが飛び落ちるので、うろこ落し刃の先端部の突出がカバーのエッジから２〜４ｍｍとすることが好ましいことが実験の結果判明した。【００１０】  さらに、うろこ落し刃の側面部とカバーエッジ内側とは剥がれたうろこを取り込む為に５〜１０ｍｍの間隙を有することが好ましいことが実験の結果判明した。
【考案の効果】
【００１１】  本考案のうろこ落し具及びうろこ落し具用カバーによれば、図２に示すように、うろこ落し刃１１の先端部はうろこ落し具用カバー２のエッジ２２から２〜４ｍｍ突出しているので魚のうろこがひっかかり易く、簡単な構造で使い易く、一般家庭やスーパーストア等の調理場においても容易に魚のうろこ落しができるものである。
【図面の簡単な説明】
【００１２】
【図１】本考案のうろこ落し具及びうろこ落し具用カバーの全体斜視図である。
【図２】本考案のうろこ落し具及びうろこ落し具用カバーの縦方向の部分断面図である。
【図３】本考案のうろこ落し具及びうろこ落し具用カバーの横方向の部分断面図である。
【図４】本考案のうろこ落し具及びうろこ落し具用カバーの横方向の部分断面図である。
【考案を実施するための形態】
【００１３】  以下、図面に示す実施例に基づき、本考案の具体的な構成を説明する。
図面において、図１は本考案のうろこ落し具及びうろこ落し具用カバーの全体斜視図である。図２は本考案のうろこ落し具及びうろこ落し具用カバーの部分断面図である。図３は本考案のうろこ落し具及びうろこ落し具用カバーの横方向の部分断面図である。図４は本考案のうろこ落し具及びうろこ落し具用カバーの横方向の部分断面図である。
【００１４】  うろこ落し具本体１の下部には、相互に間隙１３を以って一体的に形成されたうろこ落し刃１１があり、うろこ落し具基部１２が把手３に固定され、うろこ落し具本体１を上側より全体的に覆う形状のうろこ落し具用カバー２が設けられ、カバー基部２３が把手３に固定され又は着脱自在に設けられている。
【００１５】  うろこ落し具本体１及び相互に間隙１３を以って一体的に形成されたうろこ落し刃１１は、金属又は硬質プラスティックからなり、うろこ落し具用カバー２は透明プラスティック又は銅又はアルミニューム等の材質から構成されている。
【００１６】  図２に示すように、うろこ落し刃１１の先端部はうろこ落し具用カバー２のエッジ２２かの寸法  ｌは２〜４ｍｍ突出しているので、うろこ落し具用カバー２のエッジ２２で魚５のうろこ４をひっかけて剥がしてしまうことがなく、容易に魚５のうろこ落しをすることができ、且つ、カバーエッジ部２２の部分でうろこが飛び散ることがない。
【００１７】  また、図３乃至図４に示すように、うろこ落し刃の側面部とカバーエッジ内側との間隙Ｌは剥がれたうろこを取り込む為に５〜１０ｍｍの間隙を有することが好ましいことが実験の結果判明した。
【産業上の利用可能性】
【００１８】  本考案のうろこ落し具及びうろこ落し具用カバーによれば、うろこを飛散させることなく、タイ、イサキ、コイ、サケ、スズキ等のうろこのある魚のうろこ落しを一般家庭やスーパーストア等の調理場で、容易に行うことができ、広く使用される利用可能性が高いものである。
【符号の説明】
【００１９】  １  うろこ落し具本体
１１  うろこ落し刃
１２  うろこ落し具基部
１３  間隙
２  うろこ落し具用カバー
２１  空洞部
２２  カバーエッジ部
２３  カバー基部
２４  ビス
３  把手
４  うろこ
５  魚
ｌ  カバーエッジ部から突出するうろこ落し刃の寸法
Ｌ  カバーエッジ部内側とうろこ落し刃側面との間隙
【図１】
0003160160.tif 000003
【図２】
0003160160.tif 000004
【図３】
0003160160.tif 000005
【図４】
0003160160.tif 000006
【手続補正書】
【提出日】平成22年3月19日(2010.3.19)
【手続補正１】
【補正対象書類名】実用新案登録請求の範囲
【補正対象項目名】請求項１
【補正方法】変更
【補正の内容】
【請求項１】
うろこ落し具本体とうろこ落し具用カバーからなるうろこ落し具において、うろこ落し具本体の下部には、相互に間隙を以って一体的に形成されたうろこ落し刃があり、うろこ落し具基部が把手に固定され、うろこ落し具本体を上側より全体的に覆う形状のカバーが設けられ、カバー基部が把手に固定され又は着脱自在に設けられていることを特徴とするうろこ落し具。
【手続補正２】
【補正対象書類名】実用新案登録請求の範囲
【補正対象項目名】請求項２
【補正方法】変更
【補正の内容】
【請求項２】
うろこ落し具本体及び相互に間隙を以って一体的に形成されたうろこ落し刃は、金属又は硬質プラスティックからなり、カバーは透明プラスティックの材質からなり、エッジ部が内側に捲れた構造であることを特徴とする請求項１記載のうろこ落し具。
【手続補正３】
【補正対象書類名】実用新案登録請求の範囲
【補正対象項目名】請求項３
【補正方法】変更
【補正の内容】
【請求項３】
うろこ落し刃の先端部はカバーのエッジから約２〜４ｍｍ突出しており、うろこ落し刃の側面部とカバーエッジ内側とは５〜１０ｍｍの間隙を有することを特徴とする請求項１記載のうろこ落し具。